(57)【要約】      （修正有）【課題】側壁を有する押ボタンスイッチを横に複数個当接して並べたときに、側壁が目立たずに一体感のある意匠になるとともに操作ボタンの操作性を向上させる押ボタンスイッチおよびその押ボタンスイッチを備えた操作機器を提供すること。【解決手段】操作ボタン４と、左右両側から上方に突出するように形成された側壁７３を備えて操作ボタン４を収容する操作ケース７とからなる押ボタンスイッチであって、側壁７３は、外壁面７３ａが平面形状で、かつ、内壁面７３ｂが前端７３ｃから後端７３ｄに向けて操作ボタン４側に湾曲する湾曲形状に形成され、操作ボタン４は、側壁７３に対面する左側面４２ｂと右側面４２ａが内壁面７３ｂに沿って湾曲する湾曲形状に形成され、このような構造の押ボタンスイッチを側壁７３の外壁面７３ａ同士を当接させて複数個を横並びに配置するようにした。【選択図】図２
2014127391.tif 000002
【特許請求の範囲】
【請求項１】
操作ボタンと、両側面に側壁を備えて前記操作ボタンを収容する操作ケースとからなる押ボタンスイッチにおいて、
前記側壁は、外壁面が平面形状で、かつ、内壁面が前端から後端に向けて前記操作ボタン側に湾曲する湾曲形状に形成され、
前記操作ボタンは、前記側壁に対向する面が前記内壁面に沿って湾曲する湾曲形状に形成されていることを特徴とする押ボタンスイッチ。
【請求項２】
前記操作ボタンと前記操作ケースは、それぞれの前側部が前記側壁の前端よりも前方側に湾曲する湾曲形状に形成されていることを特徴とする請求項１に記載の押ボタンスイッチ。
【請求項３】
前記操作ケースは、前記操作ボタンを覆う誤操作防止用のガードカバーを備えていることを特徴とする請求項１または請求項２に記載の押ボタンスイッチ。
【請求項４】
請求項１乃至請求項３のいずれかに記載の押ボタンスイッチを、前記外壁面を当接させて複数個を横並びに配置したことを特徴とする操作機器。
【発明の詳細な説明】
【技術分野】
【０００１】
本発明は、押ボタンスイッチの構造に関する。
【背景技術】
【０００２】
操作卓や各種操作機器に用いられる押ボタンスイッチは、大型のボタンでクリック感があり押し込み動作を認識できるものが良い。例えば、図９（ａ）および図９（ｂ）に示すように、基板１００に取付けられるスイッチケース１０１と、スイッチケース１０１に連結されるとともに操作パネル１０２に取付けられる四角形状の操作ケース１０３と、操作ケース１０３に押し込み可能に収容される四角形状の操作ボタン１０４とを備えたものがある。この押ボタンスイッチ１１０は、操作ボタン１０４の周囲に沿って操作ケース１０３で操作ボタン１０４を取り囲むようになっており、操作ケース１０３の左右両側の上端から操作ボタン１０４の上面より高く立設させた側壁１０５が形成された構造になっている。側壁１０５が操作ボタン１０４の周囲を囲むことで、誤って隣接する操作ボタン１０４を押すことを防ぐことができる。
しかしながら、操作ケース１０３の四角形状の開口の中に四角形状の操作ボタン１０４が収容されるため、隙間１０６が発生し、操作ボタン１０４がガタつくおそれがあった。
【０００３】
また、このような押ボタンスイッチ１１０は、単体で使用する以外に複数個並べて使用する場合がある。例えば、図９（ｃ）に示すように、操作ボタン１０４が収容された操作ケース１０３を操作パネル１０２に複数個を横に隣接するように取付けられたものがある（例えば、特許文献１参照）。
しかしながら、複数個の押ボタンスイッチ１１０は、隣接する操作ケース１０３の側壁１０５同士が当接して並ぶため、これらの側壁１０５の厚さによって複数個の操作ボタン１０４の間隔が広くなってしまい、複数個の押ボタンスイッチ１１０を横に並べたときに側壁１０５ばかりが目立ち操作ボタン１０４が押しずらいという問題点があった。この問題点を解決するために、操作ケース１０３の側壁１０５自体の厚さを薄くすることが考えられるが、操作ケース１０３の強度が低下して、より操作ボタン１０４のガタつきが発生するおそれがあった。
【先行技術文献】
【特許文献】
【０００４】
【特許文献１】特開平１１−２８８６３３号公報（図１、図４、図８）
【発明の概要】
【発明が解決しようとする課題】
【０００５】
本発明は上記問題点に鑑み、側壁を有する押ボタンスイッチを横に複数個当接して並べたときに、側壁が目立たずに一体感のある意匠になるとともに操作ボタンの操作性を向上させる押ボタンスイッチおよびその押ボタンスイッチを備えた操作機器を提供することを目的とする。
【課題を解決するための手段】
【０００６】
上記課題を解決するため、本発明の押ボタンスイッチは、操作ボタンと、両側面に側壁を備えて操作ボタンを収容する操作ケースとからなり、側壁は、外壁面が平面形状で、かつ、内壁面が前端から後端に向けて操作ボタン側に湾曲する湾曲形状に形成され、操作ボタンは、側壁に対向する面が内壁面に沿って湾曲する湾曲形状に形成されている。
【０００７】
また、操作ボタンと操作ケースは、それぞれの前側部が側壁の前端よりも前方側に湾曲する湾曲形状に形成されている。
【発明の効果】
【０００８】
本発明の押ボタンスイッチによれば、操作ケースの側壁は、外壁面が平面形状で、かつ、内壁面が前端から後端に向けて操作ボタン側に湾曲する湾曲形状に形成され、操作ボタンは、側壁に対向する面が内壁面に沿って湾曲する湾曲形状に形成されているため、複数個の押ボタンスイッチを横に当接して並べたときに、側壁が目立たずに一体感のある意匠が得られ、操作ボタンのガタツキが改善され、一番押される操作ボタンの中央部をしっかりガードすることができる。
【０００９】
また、本発明の押ボタンスイッチによれば、操作ボタンと操作ケースは、それぞれの前側部が側壁の前端よりも前方側に湾曲する湾曲形状に形成されているため、操作ボタンの上面面積を前方側に広げることができるので、前方から手指が触れ易くなり、操作ボタンの操作性を向上することができる。
【図面の簡単な説明】
【００１０】
【図１】本発明の押ボタンスイッチを備えた操作機器を示す正面図である。
【図２】本発明の押ボタンスイッチを示す説明図で、（ａ）は上面図、（ｂ）は前面図、（ｃ）は斜視図、（ｄ）は側面図、（ｅ）は断面図である。
【図３】本発明の押ボタンスイッチを基板に取付ける手順を示す分解斜視図である。
【図４】図２における押ボタンスイッチを３個横並びに配置した状態を示す斜視図である。
【図５】図４の押ボタンスイッチの断面図である。
【図６】本発明の押ボタンスイッチの他の実施例を示す説明図で、（ａ）はガードカバーを開いた状態を示す上面図、（ｂ）はガードカバーを閉じた状態を示す上面図、（ｃ）は前面図、（ｄ）は斜視図、（ｅ）は側面図である。
【図７】図２における押ボタンスイッチと図６における押ボタンスイッチとを３個横並びに配置した状態を示す斜視図である。
【図８】図７の押ボタンスイッチの断面図である。
【図９】従来の押ボタンスイッチを示す説明図で、（ａ）は外観斜視図、（ｂ）は（ａ）のＡ−Ａ断面図、（ｃ）は複数個の押ボタンスイッチを横並びに配置した状態を示す斜視図である。
【発明を実施するための形態】
【００１１】
以下、本発明の実施形態を添付図面に基づき詳細に説明する。まず、図１に示すように、本発明に係わる押ボタンスイッチ３３が用いられる防災無線システム１の操作卓３を例に挙げて説明し、次に、図２乃至図８に示すように、本発明に係わる押ボタンスイッチ３３の構造について説明する。なお、本発明の押ボタンスイッチ３３は防災無線システム１の操作卓３の他に工作機械などの各種操作機器に用いられる。
【実施例１】
【００１２】
＜防災無線システム＞
図１に示すように、防災無線システム１は、行政指令部門に設置され、防災および行政を目的とした無線放送や無線通話を行うシステムであり、ラック１１と操作卓３とモニター１２の組み合わせで構成される。ラック１１には、無線放送や無線通話に必要な情報を操作卓３やモニター１２に送出する制御機器、無線放送や無線通話の音声信号を送信する送信機器などが搭載されている。操作卓３とモニター１２は、ラック１１に備えられた作業台１３に載置されている。
【００１３】
＜操作卓＞
操作卓３は、板金製の筺体３０にマイク３１とタッチパネル付きモニター３２と押ボタンスイッチ３３とスライドスイッチ３４などが配置されている。オペレータは、モニター１２の表示情報に従い、操作卓３のタッチパネル付きモニター３２と押ボタンスイッチ３３とスライドスイッチ３４などを操作することにより、録音データやマイク３１に基づき無線放送や無線通話を行うことができる。
【００１４】
＜押ボタンスイッチ＞
押ボタンスイッチ３３は、図２および図３に示すように、操作ボタン４と、スイッチ基板５に係止されるとともに操作ボタン４の下部を支える取付枠６と、取付枠６上に重ね合わせて操作卓３の筺体３０に取付けられるとともに操作ボタン４を収容する操作ケース７とからなる。
【００１５】
＜操作ボタン−１＞
操作ボタン４は樹脂によって、右側面４２ａ、左側面４２ｂ、前面４２ｃおよび背面４２ｄとなる外周壁４２と、上面４３とからなる下面が開放された箱状に形成されている。操作ボタン４は、上面４３の中央部から下に延びるように形成されたスイッチ押棒４０と、外周壁４２の下側周縁部に外側に向けて形成された縁部４１とを備えている。
【００１６】
＜取付枠＞
スイッチ基板５は、操作ボタン４のスイッチ押棒４０で押下される切換スイッチ５０と、切換スイッチ５０の周囲に取付枠６を係止するための複数の係止孔５１とを備えている。
取付枠６は樹脂によって枠状に形成されている。取付枠６は、操作ボタン４の縁部４１を保持し、操作ボタン４の押し込み間隔Ｓを形成するための保持片６０と、スイッチ基板５の係止孔５１に嵌め込まれる複数の係止爪６１とを備えている。保持片６０は、取付枠６の左右両側の内周部に形成され、係止爪６１は、取付枠６の前後両側の下部周縁部で係止孔５１に位置を合わせて形成されている。
【００１７】
＜操作ケース＞
操作卓３の筺体３０は、操作ケース７を取付けるための取付孔３００が設けられている。操作ケース７は樹脂によって枠状に形成されている。
操作ケース７は、操作ボタン４の外周壁４２を押し込み可能に保持する枠体７０からなっている。枠体７０は、下部に操作卓３の筺体３０の取付孔３００に嵌め込まれる嵌込部７１が、上部に取付孔３００の周縁に当接するように嵌込部７１よりも外側に突出したフランジ部７２がそれぞれ形成され、フランジ部７２は左右両側にフランジ部７２から上方に突出するように一体形成された側壁７３を備えている。
【００１８】
嵌込部７１は、左右両側面にフランジ部７２との間で操作ケース７を取付孔３００に係止するための係止爪７１ａが形成されている。
フランジ部７２は、前面部７２ａが側壁７３の前端７３ｃよりも前方に突出して湾曲する湾曲形状に形成され、背面部７２ｂも同様に側壁７３の後端７３ｄよりも後方に突出して湾曲する湾曲形状に形成されている。側壁７３は、外壁面７３ａが平面形状に形成され、内壁面７３ｂが前端７３ｃから後端７３ｄに向けて操作ボタン４側に湾曲する湾曲形状に形成されている。
【００１９】
＜操作ボタン−２＞
一方、操作ボタン４の外周壁４２は、側壁７３に対向する右側面４２ａと左側面４２ｂが内壁面７３ｂに沿って湾曲形状に形成されている。また、フランジ部７２に対向する前面４２ｃが側壁７３の前端７３ｃよりも前方側に湾曲する湾曲形状に形成され、背面４２ｄも同様に側壁７３の後端７３ｄよりも後方側に湾曲する湾曲形状に形成されている。さらに、操作ボタン４は、高さ寸法が取付枠６と操作ケース７に収容されたときに側壁７３よりも低くフランジ部７２よりも高くなるように形成されている。
【００２０】
＜複数個の押ボタンスイッチの配置＞
次に、これまで説明してきた押ボタンスイッチ３３を３個横並びに配置した状態について図４および図５を用いて説明する。なお、本発明では、３個の押ボタンスイッチ３３に限らず、複数個の押ボタンスイッチ３３を横並びに配置してもよい。また、図示を省略するが、筺体３０には、取付孔３００が横に間隔をあけて３つ形成されている。
【００２１】
図４および図５に示すように、それぞれの押ボタンスイッチ３３を側壁７３の外壁面７３ａ同士が当接するように横並びに配置すると、操作ケース７のフランジ部７２は、隣合うフランジ部７２同士が当接した状態となるとともに、フランジ部７２の前面部７２ａと背面部７２ｂで操作ボタン４の外周壁４２の前面４２ｃと背面４２ｄを保持した状態となる。また、操作ケース７の側壁７３は、内壁面７３ｂで操作ボタン４の外周壁４２の右側面４２ａと左側面４２ｂを保持した状態となる。
【００２２】
以上説明してきた実施形態による押ボタンスイッチ３３によれば、操作ケース７の側壁７３は、外壁面７３ａが平面形状に形成され、内壁面７３ｂが前端７３ｃから後端７３ｄに向けて操作ボタン４側に湾曲する湾曲形状に形成され、操作ボタン４の外周壁４２は、側壁７３に対向する右側面４２ａと左側面４２ｂが内壁面７３ｂに沿って湾曲形状に形成されている。このため、操作ケース７に収容される操作ボタン４が四角形状ではなく、操作ボタン４の外周壁４２の右側面４２ａと左側面４２ｂが側壁７３の内壁面７３ｂに嵌合するように、操作ボタン４が操作ケース７に収容されているため、操作ボタン４のガタツキを改善することができる。
【００２３】
また、側壁７３の内壁面７３ｂと操作ボタン４の右側面４２ａおよび左側面４２ｂがそれぞれ湾曲形状に形成されているため、複数個の押ボタンスイッチ３３を側壁７３を当接させて横並びに配置したときに、側壁７３が目立たずに操作ボタン４と一体感のある意匠を得ることができる。また、側壁７３が操作ボタン４を取り囲み、操作ボタン４側に肉厚に形成されているため、操作ボタン４の誤操作を防止する。この結果、一番押される操作ボタン３４の中央部がしっかりガードされる。
【００２４】
以上説明してきた実施形態による押ボタンスイッチ３３によれば、操作ケース７のフランジ部７２の前面部７２ａと、操作ボタン４のフランジ部７２に対向する前面４２ｃとが、側壁７３の前端７３ｃよりも前方側に湾曲する湾曲形状にそれぞれ形成されている。このため、複数個の押ボタンスイッチ３３を側壁７３を当接させて横並びに配置したときに、操作ボタン４の上面面積を前方側に広げることができるので、隣接する操作ボタン４を誤って押すことを防ぎつつ、前方から手指が操作ボタン４に触れ易くなり、操作ボタン４の操作性を向上することができる。
また、側壁７３の強度を増すために側壁７３の厚さを厚くする場合、側壁７３の横幅は変えずに内壁面７３ｂの側を厚く形成すればよく、複数個の押ボタンスイッチ３３を側壁７３を当接させて横並びに配置したときに、配置するスペースが増大することがない。
【００２５】
なお、本実施形態による押ボタンスイッチ３３では、フランジ部７２の前面部７２ａと背面部７２ｂがそれぞれ外側に湾曲形状に形成されているが、本発明はこれに限らず、フランジ部７２の前面部７２ａが外側に湾曲形状に形成されていれば、フランジ部７２の背面部７２ｂを直線形状に形成してもよい。これに伴って、操作ボタン４の前面４２ｃが外側に湾曲形状に形成されていれば、操作ボタン４の背面４２ｄを直線形状に形成してもよい。
【００２６】
また、本実施形態による押ボタンスイッチ３３では、操作ボタン４は、高さ寸法が取付枠６と操作ケース７に収容されたときに側壁７３よりも低くフランジ部７２よりも高くなるように形成されているが、本発明はこれに限らず、操作ボタン４は、高さ寸法が側壁７３と同じ高さに形成されてもよい。さらに、操作ケース７の枠体７０は、嵌込部７１とフランジ部７２と側壁７３とを備えているが、本発明はこれに限らず、枠体７０は、操作ボタン４の周囲を囲むように収容可能であれば、少なくとも側壁７３を備えていればよい。
【実施例２】
【００２７】
次に、その他の実施形態による押ボタンスイッチ３３について図６乃至図８を用いて説明する。なお、前述の実施形態と同じ構成については同一符号を付し、その説明を省略する。この押ボタンスイッチ３３の前述の実施形態と相違する構成は、図６に示すように、操作ケース７の枠体７０の構造が相違するとともにガードカバー８を備えたところである。
【００２８】
操作ケース７の枠体７０は、前述と同様に、嵌込部７１とフランジ部７２と側壁７３とを備え、フランジ部７２の背面部７２ｂには、その中央部から上方に突出するように一体形成された支柱部７２ｃを備えている。支柱部７２ｃは、高さ寸法が側壁７３よりも高く形成されてガードカバー８を支持する。
【００２９】
ガードカバー８は、操作ボタン４の誤操作防止用の透明な樹脂製で形成されたカバーであり、ほぼ枠体７０の上面から見た外郭形状に合わせた板状に形成されている。このガードカバー８は、その後側周縁の中央部に形成された切欠部８０を備え、切欠部８０は支柱部７２ｃの上部に開閉可能に軸支される。
ガードカバー８は、図６（ａ）に示すように、操作ボタン４を使用するときには開いた状態として、操作ボタン４が露出して操作ボタン４を押すことができる。また、ガードカバー８は、図６（ｂ）乃至図６（ｅ）に示すように、操作ボタン４を使用しないときには閉じた状態として、操作ボタン４が覆われ操作ボタン４を押すことができなくなる。
【００３０】
次に、前述の実施形態によるガードカバー８の付いていない２個の押ボタンスイッチ３３と、ガードカバー８の付いた１個の押ボタンスイッチ３３とを側壁７３を当接させて横並びに配置した状態について図７および図８を用いて説明する。なお、前述の実施形態と同じ構成については説明を省略する。また、３個の押ボタンスイッチ３３の全てについて、ガードカバー８の付いた押ボタンスイッチ３３を横並びに配置してもよい。
【００３１】
図７および図８に示すように、前述の実施形態と同様に、それぞれの押ボタンスイッチ３３を側壁７３の外壁面７３ａ同士が当接するように横並びに配置すると、操作ケース７のフランジ部７２は、隣合うフランジ部７２同士が当接した状態となるとともに、フランジ部７２の前面部７２ａと背面部７２ｂで操作ボタン４の外周壁４２の前面４２ｃと背面４２ｄを保持した状態となる。また、操作ケース７の側壁７３は、内壁面７３ｂで操作ボタン４の外周壁４２の右側面４２ａと左側面４２ｂを保持した状態となる。さらに、一番右側のガードカバー８の付いた押ボタンスイッチ３３のみが、ガードカバー８の厚さだけ側壁７３の高さ寸法よりも突出した状態となる。
【００３２】
以上説明してきた本実施形態についても、前述の実施形態と同様な効果を得ることができる。また、操作ケース７は、操作ボタン４を覆う誤操作防止用のガードカバー８を備えているため、操作ボタン４を不用意に押すことを防ぐことができる。さらに、ガードカバー８の付いていない押ボタンスイッチ３３とガードカバー８の付いている押ボタンスイッチ３３とを側壁７３を当接させて横並びに配置したときに、外観上の違和感を抑え一体感のある意匠を得ることができる。
【符号の説明】
【００３３】
３３  押ボタンスイッチ
４  操作ボタン
４２  外周壁
４２ａ  左側面
４２ｂ  右側面
４２ｃ  前面
４２ｄ  背面
７  操作ケース
７３  側壁
７３ａ  外壁面
７３ｂ  内壁面
７３ｃ  前端
７３ｄ  後端
８  ガードカバー
【図１】
2014127391.tif 000003
【図２】
2014127391.tif 000004
【図３】
2014127391.tif 000005
【図４】
2014127391.tif 000006
【図５】
2014127391.tif 000007
【図６】
2014127391.tif 000008
【図７】
2014127391.tif 000009
【図８】
2014127391.tif 000010
【図９】
2014127391.tif 000011